(57)【特許請求の範囲】
【請求項１】
通信ネットワークを介してデータ通信を行う撮影装置及び撮影管理サーバから構成される撮影システムであって、
前記撮影装置は、自装置の識別情報及び現在位置情報を前記撮影管理サーバへ送信する端末情報送信手段と、前記撮影管理サーバから、自装置の現在位置から所定範囲に存在する被写体を示す被写体情報及び自装置に適合する前記被写体の撮影用の撮影パラメータを取得する情報取得手段と、前記情報取得手段により取得された撮影パラメータを前記情報取得手段により取得された被写体情報により示される被写体を撮影するときに設定する撮影パラメータ設定手段と、を備え、
前記撮影管理サーバは、前記撮影装置から送信された前記撮影装置の識別情報及び現在位置情報を受信する端末情報受信手段と、前記識別情報及び現在位置情報に応じて、前記現在位置から所定範囲に存在する被写体を示す被写体情報、及び前記撮影装置に適合する前記被写体の撮影用の撮影パラメータを前記撮影装置へ送信する情報送信手段と、を備え、
前記撮影管理サーバは、撮影装置の機種に依存しない基準撮影パラメータを記憶する基準撮影パラメータ記憶手段と、前記基準撮影パラメータに対する機種の補正値を記憶する補正値記憶手段と、前記撮影装置の機種の補正値により前記基準撮影パラメータを補正することで、前記撮影装置に適合する撮影パラメータを生成する撮影パラメータ生成手段と、を備える撮影システム。
【請求項２】
請求項１に記載された撮影システムにおいて、
前記撮影装置は、前記情報取得手段により取得された被写体情報により示される被写体が複数の場合、操作手段からの選択操作に基づいて、該複数の被写体の中から１つの被写体を選択する被写体選択手段を備え、前記撮影パラメータ設定手段は、前記被写体選択手段により選択された被写体の撮影用の撮影パラメータを設定する撮影システム。
【請求項３】
請求項１又は２に記載された撮影システムにおいて、
前記撮影装置は、操作手段からの変更操作に基づいて、前記情報取得手段により取得された撮影パラメータを変更する撮影パラメータ変更手段を備え、前記撮影パラメータ設定手段は、前記撮影パラメータ変更手段により変更された撮影パラメータを設定する撮影システム。
【請求項４】
請求項３に記載された撮影システムにおいて、
前記撮影装置は、前記撮影パラメータ変更手段により変更された撮影パラメータ、及び撮影した被写体を示す被写体情報を前記撮影管理サーバへ送信する変更情報送信手段を備え、
前記撮影管理サーバは、前記変更情報送信手段から送信された情報を受信する変更情報受信手段と、前記変更情報受信手段により受信された撮影パラメータを前記補正値記憶手段に書き込む補正値書き込み手段と、を備える撮影システム。
【請求項５】
請求項４に記載された撮影システムにおいて、
前記変更情報受信手段により受信された撮影パラメータを前記基準撮影パラメータに反映させ、前記基準撮影パラメータを更新する基準撮影パラメータ更新手段を備える撮影システム。
【請求項６】
通信ネットワークを介してデータ通信を行う撮影装置に撮影パラメータを提供する撮影管理サーバであって、
前記撮影装置から送信された前記撮影装置の識別情報及び現在位置情報を受信する端末情報受信手段と、前記端末情報受信手段により受信された識別情報及び現在位置情報に応じて、前記撮影装置の現在位置から所定範囲に存在する被写体を示す被写体情報、及び前記撮影装置に適合する前記被写体の撮影用の撮影パラメータを前記撮影装置へ送信する情報送信手段と、撮影装置の機種に依存しない基準撮影パラメータを記憶する基準撮影パラメータ記憶手段と、前記基準撮影パラメータに対する機種の補正値を記憶する補正値記憶手段と、前記撮影装置の機種の補正値により前記基準撮影パラメータを補正することで、前記撮影装置に適合する撮影パラメータを生成する撮影パラメータ生成手段と、
を備える撮影管理サーバ。
【発明の詳細な説明】
【技術分野】
【０００１】
本発明は、撮影システム及び撮影管理サーバに関し、特に現在位置から所定範囲に存在する被写体の撮影に最適な撮影パラメータを撮影装置に提供可能な撮影システム及び撮影管理サーバに関する。
【背景技術】
【０００２】
従来、撮影装置に対して、最適な撮影パラメータを提供する撮影システムとして、特許文献１に記載された撮影システムがある。この撮影システムは、通信ネットワークを介して通信を行うカメラ付携帯電話機などの撮影装置と、サーバとから構成されており、撮影装置は現在位置特定部、方位検出部、仰角検出部を備えている。また、サーバには、様々な撮影ポイントの被写体情報が記憶されている。ここで、被写体情報には、予め被写体を撮影した際の撮影条件、撮影モード、撮影モードのお薦め度、撮影位置、撮影レンズの光軸の方位及び仰角などがある。
【０００３】
撮影装置は、現在位置特定部が定期的に現在位置情報を取得し、現在位置情報の時間的変化を基に移動方向及び移動速度を算出し、さらに所定時間後の移動先を予測する。そして、移動先の位置情報をサーバへ送り、移動先の位置から所定範囲内に存在する被写体の被写体情報をサーバから取得する。そして、撮影装置の現在位置、撮影レンズの向いている方向及び仰角が被写体情報における撮影位置、撮影レンズの光軸の方位及び仰角に近いと判断したとき、自動撮影を行う。
【０００４】
しかしながら、上記撮影システムでは、サーバに記憶されている被写体情報は、予め所定の機種の撮影装置により撮影された場合の情報であるため、異なる機種の撮影装置に適用した場合、最適な撮影結果が得られない可能性がある。
【先行技術文献】
【特許文献】
【０００５】
【特許文献１】特開２００９−２２５２７９号公報
【発明の概要】
【発明が解決しようとする課題】
【０００６】
本発明は、このような問題を解決するためになされたものであり、その目的は、撮影装置が現在位置から所定範囲に存在する被写体を撮影する際、被写体の撮影に最適な撮影パラメータを撮影装置の機種にかかわらず確実に設定可能にすることである。
【課題を解決するための手段】
【０００７】
本発明の撮影システムは、通信ネットワークを介してデータ通信を行う撮影装置及び撮影管理サーバから構成される撮影システムであって、前記撮影装置は、自装置の識別情報及び現在位置情報を前記撮影管理サーバへ送信する端末情報送信手段と、前記撮影管理サーバから、自装置の現在位置から所定範囲に存在する被写体を示す被写体情報及び自装置に適合する前記被写体の撮影用の撮影パラメータを取得する情報取得手段と、前記情報取得手段により取得された撮影パラメータを前記情報取得手段により取得された被写体情報により示される被写体を撮影するときに設定する撮影パラメータ設定手段と、を備え、前記撮影管理サーバは、前記撮影装置から送信された前記撮影装置の識別情報及び現在位置情報を受信する端末情報受信手段と、前記識別情報及び現在位置情報に応じて、前記現在位置から所定範囲に存在する被写体を示す被写体情報、及び前記撮影装置に適合する前記被写体の撮影用の撮影パラメータを前記撮影装置へ送信する情報送信手段と、を備え、前記撮影管理サーバは、撮影装置の機種に依存しない基準撮影パラメータを記憶する基準撮影パラメータ記憶手段と、前記基準撮影パラメータに対する機種の補正値を記憶する補正値記憶手段と、前記撮影装置の機種の補正値により前記基準撮影パラメータを補正することで、前記撮影装置に適合する撮影パラメータを生成する撮影パラメータ生成手段と、を備える撮影システムである。
本発明の撮影管理サーバは、通信ネットワークを介してデータ通信を行う撮影装置に撮影パラメータを提供する撮影管理サーバであって、前記撮影装置から送信された前記撮影装置の識別情報及び現在位置情報を受信する端末情報受信手段と、前記端末情報受信手段により受信された識別情報及び現在位置情報に応じて、前記撮影装置の現在位置から所定範囲に存在する被写体を示す被写体情報、及び前記撮影装置に適合する前記被写体の撮影用の撮影パラメータを前記撮影装置へ送信する情報送信手段と、撮影装置の機種に依存しない基準撮影パラメータを記憶する基準撮影パラメータ記憶手段と、前記基準撮影パラメータに対する機種の補正値を記憶する補正値記憶手段と、前記撮影装置の機種の補正値により前記基準撮影パラメータを補正することで、前記撮影装置に適合する撮影パラメータを生成する撮影パラメータ生成手段と、を備える撮影管理サーバである。
【０００８】
［作用］
本発明によれば、撮影管理サーバは、撮影装置から送信された撮影装置の識別情報及び現在位置情報を受信したとき、現在位置から所定範囲に存在する被写体を示す被写体情報、及び撮影装置に適合する被写体の撮影用の撮影パラメータを撮影装置へ送信する。
【発明の効果】
【０００９】
本発明によれば、撮影装置が現在位置から所定範囲に存在する被写体を撮影する際、被写体の撮影に最適な撮影パラメータを撮影装置の機種にかかわらず確実に設定することができる。
【図面の簡単な説明】
【００１０】
【図１】本発明の実施形態に係る撮影システムを示す図である。
【図２】本発明の実施形態に係るカメラ管理サーバに記憶されているカメラパラメータテーブルを示す図である。
【図３】本発明の実施形態に係る撮影システムの概略動作を示すフローチャートである。
【図４】図３におけるチェックイン処理の内容を示すフローチャートである。
【図５】図３におけるカメラ処理の内容を示すフローチャートである。
【発明を実施するための形態】
【００１１】
以下、本発明を実施するための形態について図面を参照して説明する。
〈撮影システムの構成〉
図１は本発明の実施形態に係る撮影システムを示す図である。
【００１２】
図示のように、本発明の実施形態に係る撮影システムは、インターネットなどのネットワーク１に接続されるカメラ管理サーバ１０と、カメラ付き携帯電話機などの携帯端末装置２０を備えている。ここで、カメラ管理サーバ１０、携帯端末装置２０は、それぞれ本発明における撮影管理サーバ、撮影装置に対応する。
【００１３】
携帯端末装置２０は、ネットワーク１を介してカメラ管理サーバ１０と相互に通信可能であり、カメラ管理サーバ１０に現在位置情報及び端末装置ＩＤ（端末装置識別情報）を送信し、その応答として、カメラ管理サーバ１０から、現在位置から所定範囲に存在する被写体となる対象物を示すＰＯＩ（Point of Interest）のリスト、及びそのＰＯＩに対応する自装置（機種）に適合するカメラパラメータを受信することができる。ここで、ＰＯＩに対応する自装置に適合するカメラパラメータとは、ＰＯＩにより示される被写体（対象物）を撮影するための自装置の撮像部に最適な被写体毎のカメラパラメータである。また、ＰＯＩとは対象物のアイコンデータに各種情報（位置情報、名称、電話番号等）を埋め込んだものである。
【００１４】
《携帯端末装置の構成》
携帯端末装置２０は、制御部２１と、制御部２１に接続された測位部２２、表示部２３、操作部２４、通信部２５、記憶部２６、及び撮像部２７を備えている。
【００１５】
制御部２１は、図示しないＣＰＵ（Central Processing Unit）、ＲＯＭ（Read Only Memory）、ＲＡＭ（Random Access Memory）を備えており、携帯端末装置２０の全体を制御する。また、カメラパラメータ取得アプリケーションを実行することにより、カメラ管理サーバ１０からカメラパラメータを取得し、撮像部２７の動作時に設定することができる。
【００１６】
測位部２２は、ＧＰＳ（Global Positioning System）衛星からの電波を受信するためのアンテナを含むユニットであり、受信電波に基づいて、携帯端末装置２０の現在位置を示す現在位置情報を生成する。
【００１７】
表示部２３は、画像表示機能を有する液晶ディスプレイやＥＬ（Electro-Luminescence）ディスプレイ等の小型のディスプレイである。操作部２４は、ユーザがこの携帯端末装置２０を使用するときに操作する電源キー、確定キー、数字キーなどのキーを備えている。
【００１８】
通信部２５は、ネットワーク１を介してカメラ管理サーバ１０と通信を行い、現在位置情報や端末装置ＩＤの送信、カメラパラメータの受信などを行う。記憶部２６は、フラッシュメモリなどの不揮発性メモリであり、カメラパラメータ取得アプリケーションなどのプログラム及びその関連データなどが記憶される。
【００１９】
撮像部２７は、撮像レンズや撮像素子、アナログ信号処理回路、及びデジタル信号処理回路を含み、操作部２４からの入力に従って被写体の撮影を行い、被写体像を画像データに変換する。この画像データは所定のフォーマットに変換され、記憶部２６に記憶される。
【００２０】
《カメラ管理サーバの構成》
カメラ管理サーバ１０は、制御部１１と、制御部１１に接続された通信部１２、ＰＯＩ情報ＤＢ（データベース）１３及びカメラパラメータＤＢ１４を有する。制御部１１は、図示しないＣＰＵ、ＲＯＭ、ＲＡＭを備えており、カメラ管理サーバ１０の全体を制御する。通信部１２は、ネットワーク１を介して携帯端末装置２０と通信を行う。なお、図示を省略したが、カメラ管理サーバ１０は、携帯端末装置２０の端末装置ＩＤに対応付けて、携帯端末装置２０のメーカー名、機種情報等を記憶した端末装置情報ＤＢを備えている。
【００２１】
ＰＯＩ情報ＤＢ１３には、様々な場所に位置する被写体としてＰＯＩのリスト、及びＥｘｉｆの形式の付加データを伴う被写体の画像データが記憶されている。Ｅｘｉｆの形式の付加データには、メーカー名、機種名、撮影日時、露出時間、露光補正値、フラッシュON/OFF、位置情報（緯度情報、経度情報）などの各種データがある。
【００２２】
カメラパラメータＤＢ１４には、ＰＯＩ情報ＤＢ１３に記憶されている被写体を各メーカー、各機種の撮影装置により最適な条件で撮影することを可能にするカメラパラメータが記憶されている。カメラパラメータの詳細については後述する。
【００２３】
〈カメラパラメータ〉
図２は本発明の実施形態に係るカメラ管理サーバに記憶されているカメラパラメータテーブルを示す図である。ここで、図２Ａは機種に依存しない基準値からなる基準カメラパラメータを記憶する基準カメラパラメータテーブルであり、図２Ｂは基準カメラパラメータに対する機種毎の補正値を記憶する補正値テーブルである。
【００２４】
図２Ａに示す基準カメラパラメータは、予め様々な機種の撮影装置から送信されたＥｘｉｆの形式の付加データを伴う被写体毎の画像データにおけるカメラパラメータ（輝度、彩度、色相、絞り値など）の平均値を採用したものである。即ち、例えばＰＯＩにより示される対象物がレストランであり、１００人がそのレストランの飲食物などを撮影した画像データを送信してきた場合、１００人のカメラパラメータの平均値とする。撮影の日時や天候などに応じて、基準カメラパラメータを作成することが好適である。また、定期的に基準カメラパラメータを更新することが好適である。
【００２５】
図２Ｂに示す補正値は、各機種の画像データの付加データから基準カメラパラメータを算出したときに、付加データにおける設定値と基準カメラパラメータにおける差分値として機種毎に算出したものである。
【００２６】
〈撮影システムの動作〉
図３は本発明の実施形態に係る撮影システムの概略動作を示すフローチャートであり、図４は図３におけるチェックイン処理の内容を示すフローチャートであり、図５は図３におけるカメラ処理の内容を示すフローチャートである。
【００２７】
図３に示すように、撮影システムの動作により実行される処理には、チェックイン処理（ステップＳ１）と、カメラ処理（ステップＳ２）がある。チェックイン処理の概要は携帯端末装置２０が現在位置から所定範囲に存在するＰＯＩ群（１つ以上のＰＯＩ）、及び各ＰＯＩに対応する自装置（機種）に適合するカメラパラメータをカメラ管理サーバ１０から取得し、ＰＯＩを選択することであり、カメラ処理の概要は、携帯端末装置２０がチェックイン処理で選択したＰＯＩにより示される対象物をそれに対応するカメラパラメータに基づいて撮影するものである。以下、各処理の詳細について説明する。
【００２８】
《チェックイン処理》
図４に示すように、まず携帯端末装置２０では終了か否か、即ちユーザにより終了操作が行われたか否かを判定し（ステップＳ１１）、終了の場合は（ステップＳ１１：YES）、図３に示すフローを終了する。
【００２９】
終了でない場合は（ステップＳ１１：NO）、測位部２２により現在位置を測定して測位情報を生成し（ステップＳ１２）、制御部２１内のＲＯＭに記憶されている携帯端末装置２０の端末装置ＩＤとともにカメラ管理サーバ１０へ送信する（ステップＳ１３）。
【００３０】
カメラ管理サーバ１０では、測位情報及び端末装置ＩＤを受信すると（ステップＳ２１）、受信した測位情報に基づいて、携帯端末装置２０の現在位置から所定範囲内のＰＯＩ群をＰＯＩ情報ＤＢ１３から抽出する（ステップＳ２２）。
【００３１】
次にカメラ管理サーバ１０は、抽出したＰＯＩ群に対応し、かつ携帯端末装置２０の機種に適合するカメラパラメータを生成する。即ち、抽出したＰＯＩ群の各ＰＯＩにより示される対象物の撮影用に設定された機種に依存しない基準カメラパラメータ（図２Ａ）と、それぞれの基準カメラパラメータに対する携帯端末装置２０の機種の補正値（図２Ｂ）をカメラパラメータＤＢ１４から読み出し、基準カメラパラメータの設定値に携帯端末装置２０の機種の補正値を加算することで、携帯端末装置２０の機種に適合するカメラパラメータを生成する。そして、抽出したＰＯＩ群とともに携帯端末装置２０へ送信し（ステップＳ２３）、カメラ管理サーバ１０の側のチェックイン処理を終了する。
【００３２】
携帯端末装置２０では、ＰＯＩ群、及び機種に適合するカメラパラメータが受信され（ステップＳ１４）、ＰＯＩ群が表示される（ステップＳ１５）。このＰＯＩ群の表示態様は、例えばサムネイル画像と名称の表示である。なお、受信されたＰＯＩ群及びカメラパラメータは記憶部２６に記憶される。
【００３３】
次に携帯端末装置２０では、ユーザの操作に基づいてＰＯＩ群の中から１つのＰＯＩを選択し（ステップＳ１６）、選択したＰＯＩの内容を示すＰＯＩ情報（ＰＯＩがレストランの場合、入口の画像、住所、電話番号、営業時間等）を表示する（ステップＳ１７）。
【００３４】
次に携帯端末装置２０では、カメラが起動されているか否か、即ちユーザが操作部２４から撮像部２７を動作させるモードを設定したか否かを判定する（ステップＳ１８）。
【００３５】
判定の結果、カメラが起動されていない場合は（ステップＳ１８：NO）、ステップＳ１１に戻り、カメラが起動されている場合は（ステップＳ１８：YES）、携帯端末装置２０の側のチェックイン処理を終了する。
【００３６】
なお、この図では、ステップＳ２３において、ＰＯＩ群とともにカメラパラメータを送信したが、ＰＯＩ群のみを送信し、カメラパラメータについては、携帯端末装置２０がステップＳ１６の選択結果をカメラ管理サーバ１０へ送信し、カメラ管理サーバ１０が選択結果の受信に応じて、選択されたＰＯＩに対応するカメラパラメータを送信するように構成することもできる。
【００３７】
《カメラ処理》
図５に示すように、まず携帯端末装置２０では終了か否か、即ちユーザにより終了操作が行われたか否かを判定し（ステップＳ３１）、終了の場合は（ステップＳ３１：YES）、図３に示すフローを終了する。
【００３８】
終了でない場合は（ステップＳ３１：NO）、チェックイン処理で選択されたＰＯＩに対応するカメラパラメータを記憶部２６から読み出す（ステップＳ３２）。読み出されたカメラパラメータは、選択されたＰＯＩにより示される対象物を撮影するためのカメラパラメータとして制御部２１内のＲＡＭに書き込まれ、保持される。また、このカメラパラメータを基に撮像部２７で生成された画像データが表示部２３に表示されるとともに、カメラパラメータの内、輝度、彩度、色相等を調整するための調整部材（スライドバーなど）が表示される。ユーザが必要に応じて、調整部材を操作することで、ＲＡＭに保持されているカメラパラメータが修正される（ステップＳ３３）。
【００３９】
次に操作部２４の撮影ボタンが押下されたか否かを判定し（ステップＳ３４）、押下されなかった場合は（ステップＳ３４：NO）、ステップＳ３１に戻る。押下された場合は（ステップＳ３４：YES）、撮影画像処理を実行し（ステップＳ３５）、画像データを記憶部２６に書き込み、保存する（ステップＳ３６）。
【００４０】
次いで、保存した画像データの生成に用いたカメラパラメータ、即ち制御部２１内のＲＡＭに保持されているカメラパラメータを記憶部２６に保存する（ステップＳ３７）。従って、ステップＳ３３で修正が行われた場合は修正されたカメラパラメータが保存され、修正が行われなかった場合は元のカメラパラメータが再び保存される。
【００４１】
次に、保存されたカメラパラメータを対応するＰＯＩとともにカメラ管理サーバ１０へ送信して（ステップＳ３８）、携帯端末装置２０の側のカメラ処理を終了する。このとき、カメラパラメータを画像データの付加データとして送信することもできる。
【００４２】
カメラ管理サーバ１０では、カメラパラメータを受信し（ステップＳ４１）、受信したカメラパラメータに基づいて、カメラパラメータＤＢ１４に記憶されている基準カメラパラメータ及び補正値を更新し、保存する（ステップＳ４２、Ｓ４３）。
【００４３】
即ち、カメラパラメータ（輝度、彩度、色相、絞り値等）の平均値を再計算し、計算結果を保存する。この処理の実行により、カメラ管理サーバ１０側のカメラ処理が終了する。
【００４４】
以上詳細に説明したように、本発明の実施形態に係る撮影システムによれば、カメラ管理サーバ１０は、携帯端末装置２０から送信された端末装置ＩＤ及び現在位置情報を受信したとき、現在位置から所定範囲に存在するＰＯＩ群、及び各ＰＯＩに対応する携帯端末装置２０の機種に適合するカメラパラメータを携帯端末装置２０へ送信するので、携帯端末装置２０のユーザが現在位置から所定範囲に存在するＰＯＩにより示される対象物を撮影する際、撮影に最適なカメラパラメータを機種にかかわらず確実に設定することができる。
【符号の説明】
【００４５】
１…ネットワーク、１０…カメラ管理サーバ、１１，２１…制御部、１２，２５…通信部、１３…ＰＯＩ情報ＤＢ、１４…カメラパラメータＤＢ、２０…携帯端末装置、２２…測位部、２３…表示部、２４…操作部、２６…記憶部、２７…撮像部。
【図１】
0005889690.tif 000002
【図２】
0005889690.tif 000003
【図３】
0005889690.tif 000004
【図４】
0005889690.tif 000005
【図５】
0005889690.tif 000006